【事件の表示】
　平成　９年特許願第５３６６７２号「洗浄剤組成物」拒絶査定不服審判事件〔平成　９年１０月２３日国際公開、ＷＯ９７／３８６７２、平成１２年　８月　８日国内公表、特表２０００−５１０１６８〕について、次のとおり審決する。
【結　論】
　本件審判の請求は、成り立たない。
【理　由】
第１　手続の経緯
　本願は、１９９７年　２月２１日（パリ条約による優先権主張　外国庁受理１９９６年　４月１７日（ＧＢ）グレート・ブリテン及び北部アイルランド連合王国）を国際出願日とする出願であって、平成１８年１０月　５日付けで拒絶理由が通知され、平成１９年　４月１７日に意見書及び手続補正書が提出され、同年１１月　２日付けで最後の拒絶理由が通知され、平成２０年　２月　８日に意見書及び手続補正書が提出されたところ、同年　９月２９日付けで拒絶査定がされ、これに対し、平成２１年　１月　５日付けで審判請求がされるとともに手続補正書が提出され、平成２１年　３月１８日に審判請求書の手続補正書が提出され、平成２２年　３月２４日付けで審尋がされ、同年　９月２９日に回答書が提出され、平成２３年　１月２６日付けで当審において拒絶理由が通知され、同年　８月　１日に意見書が提出されたものである。
　
　
第２　本願発明
　本願の請求項１〜２に係る発明は、平成２０年　２月　８日付け手続補正により補正された請求の範囲の請求項１〜２に記載された事項により特定されるとおりのものであり、その請求項１〜２に係る発明（以下、それぞれ「本願発明１」及び「本願発明２」という。また、平成２１年　１月　５日付け手続補正により補正された明細書を「本願明細書」という。）は、次のとおりのものである。
　
請求項１　　
　重量比４：１〜０．１：１の範囲の合成アニオン界面活性剤と両性界面活性剤からなる水性液体洗剤組成物における泡増加剤としての、２００〜１００，０００以下の分子量を有するポリエチレングリコール１０重量％〜４０重量％の使用
　
請求項２
　重量比４：１〜０．１：１の範囲の合成アニオン界面活性剤と両性界面活性剤からなる水性液体洗剤組成物におけるマイルド性向上剤としての、２００〜１００，０００以下の分子量を有するポリエチレングリコール１０重量％〜４０重量％の使用
　
　
第３　当審で通知した拒絶理由
　当審で通知した拒絶理由は、以下の１乃至４に示す理由を含むものである。
　
１　本願発明１は、その出願前に頒布された刊行物１及び刊行物３〜５に記載された発明及び周知技術に基いて当業者が容易に発明をすることができたものであるから、特許法第２９条第２項の規定により特許を受けることができない
　
２　本願発明１は、その出願前に頒布された刊行物２及び刊行物１、３〜５に記載された発明及び周知技術に基いて当業者が容易に発明をすることができたものであるから、特許法第２９条第２項の規定により特許を受けることができない
　
３　本願発明２は、その出願前に頒布された刊行物１及び刊行物８〜９に記載された発明及び周知技術に基いて当業者が容易に発明をすることができたものであるから、特許法第２９条第２項の規定により特許を受けることができない 
　
４　本願発明２は、その出願前に頒布された刊行物２及び刊行物１、８〜９に記載された発明及び周知技術に基いて当業者が容易に発明をすることができたものであるから、特許法第２９条第２項の規定により特許を受けることができない 
　
　
第４　刊行物及び記載事項
　当審で通知した拒絶理由における刊行物１〜５、８〜９は以下の１に示すとおりであり、各刊行物にはそれぞれ以下２〜８に示すとおりの事項が記載されている。
　
１　刊行物
刊行物１：特開平７−２５７２６号公報
刊行物２：特開平５−１３２７００号公報
刊行物３：特開平１−１０４００３号公報
刊行物４：特開昭５６−０５３１９９号公報
刊行物５：特開平７−２６８３９３号公報
刊行物８：特開昭５４−１４５２２５号公報
刊行物９：特開昭５５−２７３６３号公報
　
２　刊行物１の記載事項
A1　「【特許請求の範囲】
【請求項１】  アニオン性界面活性剤及び両性界面活性剤を１５〜３０重量％、油を３０〜６０重量％、及び水を少なくとも含有してなる皮膚洗浄料。
【請求項２】  １，３−ブチレングリコール、プロピレングリコール及ぶポリエチレングリコールの内少なくとも１種を含有することを特徴とする請求項１に記載の皮膚洗浄料。
【請求項３】  液状脂肪酸０．０１〜５重量％を含有することを特徴とする請求項１または２に記載の皮膚洗浄料。」
　
A2　「【０００４】
【発明が解決しようとする課題】以上の状況に鑑み、本発明は、泡立ちを改善して洗浄中のさっぱり感が高く、しかも洗浄効果をさらに高めた皮膚洗浄料を提供することを目的とする。」
　
A3　「【０００６】
【作用及び実施態様例】本発明の皮膚洗浄料は、アニオン性界面活性剤及び両性界面活性剤の混合水溶液に油を分散させ、洗浄料中の前記界面活性剤の配合量を５〜３０％、油を３０〜６０％とすることにより得られ、これにより皮膚洗浄時の使用感、洗浄後のさっぱり感、及び洗浄力の優れた皮膚洗浄料を得ることができる。即ち、洗浄料の皮膚上での「のび」がよく使用感が高い上に、泡立ちが極めて優れているため洗浄中のさっぱり感が大きく改善される。」
　
A4　「【００１４】アニオン性界面活性剤及び両性界面活性剤の配合量は、合わせて化粧料全量中１５〜３０重量％である。１５％以上とすることで、泡立ちが高く洗浄中のさっぱり感が優れたものになると共に、高い洗浄力が得られる。３０％を越すと粘度が非常に大きくなり、製造上の取扱い性が悪くなり、また皮膚上での「のび」が悪くなって使用感が低下する。また、アニオン性界面活性剤の配合量は、５％以上が好ましく、５％以上では泡立ちが一層向上し、洗浄中のさっぱり感、及び洗浄力が更に向上する。また、一般にイオン性界面活性剤には皮膚刺激性がみられる場合があるが、両性界面活性剤を配合しているため刺激性を抑えることができる。特に、両性界面活性剤に対するアニオン性界面活性剤の配合比が１以下のものが好ましい。この範囲で、刺激性は一層抑えられると共に泡立ちも向上する。」
　
A5　「【００１９】本発明の皮膚洗浄料には化粧料で用いられる保湿剤が好適に配合される。保湿剤には、本来の保湿効果の他に、アニオン性界面活性剤の濃度が高い場合にその粘度を低下させ調製を容易にすると共に、肌に心地よい後残り感を与え本発明の効果を増大させる。このような保湿剤としては、例えばグリセリン、ジグリセリン、１，３−ブチレングリコール、プロピレングリコール、ジプロピレングリコール、ポリエチレングリコール、ポリオキシプロピレン（９）ジグリセリルエーテル等が好適に用いられ、これらにより界面活性剤の溶解性が高められ、調合が容易になる。特に、１，３−ブチレングリコール、プロピレングリコール、ポリエチレングリコールを配合した場合は、調製の容易さの他に皮膚洗浄料の「のび」を向上させ、使用感が向上する。」
　
A6　「【００３４】（実施例６及び７）次に、表３に示すメイクアップ用洗浄クリームを調合し、実施例１と同様の評価を行った。結果を表４に示す。
【００３５】
【表３】
　
　
表４が示すように、洗浄クリームをアニオン性界面活性剤、両性界面活性剤及び水で構成し、さらに液状脂肪酸及びポリエチレングリコール（またはプロピレングリコール）を添加することにより、他の特性を低下させることなく洗浄クリームの「のび」及び洗浄力をさらに改善することができし、いずれの特性も極めて高い洗浄クリームを得ることができた。」
　
A7　「【００３７】
【発明の効果】以上述べたように、請求項１の発明により、泡立ちが高いためさっぱり感に優れ、且つ洗浄力、安定性の高い皮膚洗浄料を提供することができる。
【００３８】
　更に請求項２の発明により、のびを更に向上した使用感の一層向上した皮膚洗浄料が得られ、また請求項３の発明により、洗浄力を更に高めた皮膚洗浄料を提供することが可能となる。」
　
３　刊行物２には、以下の事項が記載されている。
B1　「【特許請求の範囲】
【請求項１】  界面活性剤５〜３０重量％、一価アルコール１〜７重量％および多価アルコール３〜２０重量％を配合してなることを特徴とする起泡性洗浄剤。
【請求項２】  前記界面活性剤が、炭素数１１〜１８のアルキル基を有する高級脂肪酸のアルカノールアミン塩またはアルカリ金属塩および、式１：
【化１】　
［式中、Ｒ1は炭素数１１〜１８のアルキル基、Ｍ1はアルカノールアミン残基またはアルカリ金属、Ｍ2は水素原子、アルカノールアミン残基またはアルカリ金属、ｎは１〜１０の整数を意味する］で表されるポリオキシエチレンアルキルリン酸エステル塩である請求項１記載の起泡性洗浄剤。
【請求項３】  前記界面活性剤として、さらに、式２：
【化２】
または式３：
【化３】
［式中、Ｒ2およびＲ3は、各々、炭素数１０〜１８のアルキル基、Ｒ4はエチレンまたはｎ−プロピレンを意味する］で表されるベタインを配合した請求項２記載の起泡性洗浄剤。」
　
B2　「【０００６】これらの界面活性剤は、単独または２種以上組み合わせて、起泡性洗浄剤全量に対して５〜３０重量％の割合で配合される。配合量が５重量％を下回ると、洗浄剤としての機能を果さず、逆に、添加量が３０重量％を超えると、粘度が高くなり、泡の生成および吐出が困難となる。」
　
B3　「【０００７】本発明においては、これら界面活性剤のうち、特に、高級脂肪酸塩を５〜１５重量％の割合で配合すると、よりきめ細かい泡質が得られるので好ましい。さらに好ましくは、界面活性剤として、炭素数１１〜１８のアルキル基を有する高級脂肪酸のアルカノールアミン塩またはアルカリ金属塩５〜１５重量％および、式１：
【化４】
［式中、Ｒ1は炭素数１１〜１８のアルキル基、Ｍ1はアルカノールアミン残基またはアルカリ金属、Ｍ2は水素原子、アルカノールアミン残基またはアルカリ金属、ｎは１〜１０の整数を意味する］で表されるポリオキシエチレンアルキルリン酸エステル塩３〜２０重量％を組み合わせて用いる。このような界面活性剤の組み合わせを用いることにより、きめ細かい泡質がさらに向上する。
【０００８】また、本発明においては、さらに、この界面活性剤の組み合わせに加えて、式２：
【化５】
または式３：
【化６】
［式中、Ｒ2およびＲ3は、各々、炭素数１０〜１８のアルキル基、Ｒ4はエチレンまたはｎ−プロピレンを意味する］で表されるベタインを配合することが好ましい。これらのベタインは、両イオン性界面活性剤であり、吐出後の泡の保持性を向上させる働きがある。かかるベタインは、単独または組み合わせて、洗浄剤全量に対して１〜５重量％の範囲内で配合することが好ましい。
【０００９】本発明の起泡性洗浄剤はロスマイルス法(２５℃、１％)で測定した場合に、２００ｃｍ3以上の起泡性を有することが好ましく、かつ、２５℃で１００ｃｐｓ以下の粘度とすることが好ましく、前記の配合量の範囲内で界面活性剤の使用量を調整し、このような起泡性、粘度とする。起泡性が弱いと洗浄剤として充分な機能をなさず、粘度が高いと空気との混合が難しかったり、容器の泡生成手段、例えば、多孔体を通過しづらくなる。」
　
B4　「【００１０】本発明の起泡性洗浄剤には、一価アルコールおよび多価アルコールが粘度調整剤として配合される。一価アルコールとしては、メチルアルコール、エチルアルコール、プロピルアルコール、イソプロピルアルコールなどが挙げられ、特にエチルアルコールが好ましい。多価アルコールとしては、プロピレングリコール、１，３−ブチレングリコール、グリセリン、ソルビトール、マルチトール、キシリトール、グルコース、ポリエチレングリコール４００、ポリエチレングリコール６００、ジプロピレングリコール、ジグリセリン、スクロース、ポリオキシエチレングリコシド誘導体などが挙げられる。これらのアルコールは、界面活性剤の濃度に応じて添加されるが、洗浄剤全量に対し、一価アルコールは１〜７重量％の範囲内で配合され、多価アルコールは３〜２０重量％の範囲内で配合される。アルコールの添加量が上記範囲を下回ると、洗浄剤の粘度が上昇し、発泡が阻害される。逆に、アルコールの添加量が上記範囲を上回ると、洗浄剤の粘度が低下し、起泡性も低下する。」
　
B5　「【００１２】本発明の起泡性洗浄剤は、常法に従って、前記の各配合成分を所定量の精製水と撹拌・混合することにより調製される。また、本発明の起泡性洗浄剤を入れる泡噴出ポンプ容器としては、例えば、特公昭５２−１６５６７号など、前記した公知の容器が用いられる。」
　
B6　「【００１７】
【表２】
」
　
４　刊行物３の記載事項
C1　「産業上の利用分野
　本発明は、皮膚洗浄および消毒、例えば手の洗浄に適当である洗浄用組成物、詳しくは殺菌性化合物であるクロルヘキシジンまたはその塩を含有する洗浄組成物に関する。従って本発明の組成物は、例えば手術前のブラシ洗浄のような外科作業に有利であり、かつこれはまた病院および医療機関の従業員により日常的な衛生上の手洗に使用されることができる。」
（第２頁右上欄第１９行〜同頁左下欄第７行）
　
C2　「表面活性剤は、英国特許明細書第１３３８００３号に記載されたもの、すなわち・・・である非イオン性表面活性剤であればよく、・・・入手可能である。
　殊に有利な”プルロニック”は・・・であり、これらは最適な組合せの発泡能・・・を有する。・・・。
　英国特許明細書第１３３８００３号に記載された他の表面活性剤は、例えば、・・・。例えば、適当なアミンオキシド発泡剤は、・・・である。
　使用されることのできる他の表面活性剤は、ベタイン表面活性剤、例えば・・・を包含する。・・・。」
（第３頁左下欄第１０行〜第４頁左上欄第１９行）
　
C3　「また、本発明の組成物で有利なのは、使用時に形成されたフォームまたは泡の品質、例えばその安定性および”感触”を向上させる添加剤（”発泡促進剤”）を含有することである。適当なこのような添加剤は、・・・および低分子量（例えば約４００）のポリエチレングリコール（例えばPEG400)を包含する。有利に、このような添加剤は、約１〜４重量％、有利に約１〜２重量％で使用される。」
（第４頁右上欄第１３行〜同頁左下欄第３行）
　
５　刊行物４の記載事項
D1　「２．特許請求の範囲
（１）アルカリ剤０．５〜２０Ｗｔ％、アルコールエーテル類１〜４０Ｗｔ％、・・・からなるアニオン界面活性剤と・・・からなる両性界面活性剤の１種又は２種以上の混合物０．２〜２０Ｗｔ％、及び水からなる洗浄剤組成物を泡スプレー機を用いて洗浄面に洗浄剤を泡状にして吹き付け、油汚れを除去することを特徴とする泡スプレーを用いた油汚れの除去洗浄方法」
（特許請求の範囲）
　
D2　「アルコールエーテル類中分子量が大きくなればなる程泡は細かく安定になる。
例えばポリエチレングリコール分子量６０００を配合した場合の泡は極めて細かく安定である。」
（第４頁左上欄下から３行目〜同頁右上欄第１行）
　
D3　「一方この発明に使用する界面活性剤としては泡立ち作用があると同時に、ハイドロトロ−プ剤としての作用を備えていなければならない。」
（第４頁右上欄第６行〜第８行）
　
D4　「実施例１
　泡立ちの良さと泡の安定性を下記の方法によって測定した。
（１）測定法
・・・
（２）洗浄剤組成
下記表−２の配合のアルコールエーテル類として表−３に列挙される各種アルコールエーテル類を使用したものを洗浄剤とした。
表−２
苛性ソーダ　　　　　　　　　　　３Ｗｔ％
ラウリル硫酸エステルソーダ塩　　５Ｗｔ％
アルコールエーテル類　　　　　１０Ｗｔ％
水　　　　　　　　　　　　　　８２Ｗｔ％
（３）結果
結果は表−３に示す通りである。
ここで、泡重量＝泡５００ｍｌをつくるために必要な洗浄剤の重量（G）
　　　　泡半減期＝泡５００ｍｌが２５０ｍｌに消滅するまでの時間
を表わす。
　
　
（４）結論
表−３より明らかな如く１価アルコールのイソプロピルアルコール、多価アルコールであるエチレングリコール、プロピレングリコール、グリセリン等は泡が立たないが、エチレングリコールとメタノールとのエーテル結合化合物であるメチルモノエチレングリコールエーテル及びポリエチレングリコール２００（エチレングリコール平均重合度１．４）であれば、充分に泡が立つ。即ち、１分子内に水酸基とエーテル結合を有しているものであれば、泡が立つのである。
特に、本発明者等の実験によればアルコールエーテル類中でも、界面活性剤に適さないものが泡スプレー機による泡立ち効果が際立つていた。」
（第６頁左下欄第１８行〜第７頁左下欄第４行）
　
６　刊行物５には、以下の事項が記載されている。
E1　「【請求項１】親水性界面活性剤、親水性高分子化合物及び、次の物性を有する特定デキストリン粉末から基本的に構成された粉末シャボン玉組成物
（ａ）水分５％以下
（ｂ）粘度（３０％水溶液）１５〜３０ＣＰＳ（２０℃）
（ｃ）ＰＨ　　４〜５．５
（ｄ）比容積　１０〜２０
（ｅ）灰分　　０．１以下
（ｆ）安息角　５０°以下」
（特許請求の範囲）
　
E2　「そして、これらに泡の安定剤として、ポリエチレングリコール（＃２００〜６００）、エチレングリコール、プロピレングリコール、１，３ブチレングリコール、グリセリン、ソルビトール、ヘキシレングリコールなどの湿潤剤を併用することができるし、水への溶解性が迅速に向上する。」
（第２欄第３７行〜第４１行）。
　
７　刊行物８の記載事項
H1　「２．特許請求の範囲
　アニオン活性剤を必須成分とする化粧料基剤中にポリエチレングリコールを全量中１０〜９０％（重量パーセント、以下同じ）の範囲で配合することを特徴とする皮膚刺激を抑制した化粧料」
（特許請求の範囲）
　
H2　「ポリエチレングリコールとしては、通常のものでよくポリエチレングリコール２００、３００、４００、６００、１０００、１５００、１５４０、４０００、６０００等を一種あるいは二種以上用いるものである。」
（第２頁左下欄第４行〜第７行）
　
H3　「本発明におけるアニオン活性剤とポリエチレングリコールの構成割合は１：３．３〜１：１８００好ましくは１：３．３〜１：６００でありこれらを化粧料全量中１０〜９３％好ましくは１０〜３３％配合することが必要である。ポリエチレングリコールの配合量が前記より少ないと皮膚刺激抑制効果は発揮できないし、また多い場合には多い程よいが実際の製品としての実用性を考慮する場合上記の範囲が望ましい。更に本発明において充分な皮膚刺激抑制効果を発揮する化粧料を得るには、水の配合量を化粧料全量中１〜９４％採択することが必要である。この水の存在は製品としての系の安定化にも充分機能するものである。」
（第２頁左下欄第８行〜第２０行）
　
H4　「本発明において重要なことは、従来ポリエチレングリコールがほとんど０．１〜５％程度の範囲の配合量にて保湿剤、柔軟剤、延展剤、感触改良剤として使用され且つそれ自身が無刺激であることは知られていたが、本発明の如くアニオン活性剤を含有した化粧料に多量に使用された例は皆無であり、しかも積極的に皮膚刺激抑制効果を発揮しうるとの知見はなかったことである。事実、前記０．１〜５％の配合量では皮膚刺激抑制効果を発揮しないことも本発明者等により確認された。」
（第２頁右下欄第１行〜第１０行）
　
H5　「尚、本発明に云う化粧料にはクリーム、乳液、ローション、棒状製品、ファンデーション等の各種化粧料の他、シャンプー、リンスの如きヘヤー製品も包含するものである。」
（第４頁左上欄第１７行〜第２０行）
　
H6　「次に本発明化粧料の実施例を示す。配合割合は重量％である。
１．洗顔クリーム
　ミリスチン酸　　　　　　　　　　　　２５．０
　ＭＣステアリン酸　　　　　　　　　　　５．０
　牛脂硬化油　　　　　　　　　　　　　　５．０
　カセイカリ　　　　　　　　　　　　　　６．０
　ラウリン硫酸トリエタノールアミン　　１５．０
　ラウロイルサルコシンナトリウム　　　　５．０
　ＰＥＧ４００　　　　　　　　　　　　１５．０
　防腐剤　　　　　　　　　　　　　　　適量
　香料　　　　　　　　　　　　　　　　適量
　精製水　　　　　　　　　　　加えて１００．０
２．ミルキーローション
・・・
３．ファンデーション
・・・
４．シャンプー
　ラウリン硫酸トリエタノールアミン　１０．０
　ヤシ油脂肪酸時エタノールアミド　　　５．０
　トリエタノールアミン　　　　　　　　１．７
　オレイン酸　　　　　　　　　　　　　３．３
　エトキシ化ラウリンアルコール　　　　３．０
　液状ラノリン　　　　　　　　　　　　１．０
　ＰＥG１０００　　　　　　　　　　１０．０
　ＰＥG　６００　　　　　　　　　　２０．０
　防腐剤　　　　　　　　　　　　　　適量
　香料　　　　　　　　　　　　　　　適量
　精製水　　　　　　　　　　加えて１００．０」
（第４頁右上欄第１行〜同頁右下欄最終行）
　
８　刊行物９の記載事項
I1　「２．特許請求の範囲
　アニオン活性剤を必須成分とする液体洗剤成分中に、水の存在下、分子量２００〜６，０００のポリエチレングリコール一種又は二種以上を全量中３０〜７０％（重量パーセント、以下同じ）の範囲で配合することを特徴とする皮膚刺激を抑制した液体洗剤」
（特許請求の範囲）
　
I2　「ポリエチレングリコールとしては分子量２００〜６，０００のもので、具体的にはポリエチレングリコール２００、３００、４００、６００、１０００、１５００、１５４０、４０００、６０００等が挙げられ、これらを一種あるいは二種以上用いるものである。」
（第２頁右上欄第１１行〜第１５行）
　
I3　「本発明におけるアニオン活性剤とポリエチレングリコールの構成割合は１：１．２〜１：１４０でありこれらを化粧料全量中３０〜９５％配合することが必要である。またポリエチレングリコールと共に併用される水の含有量は通常得規定洗剤に使用される範囲でさしつかえなく１〜７０％程度であるが、本発明の皮膚刺激抑制効果を期待するためには必須の要素となる。ポリエチレングリコールならびに水の配合量が前記より少ないとこれらの相乗作用による十分な皮膚刺激抑制効果は望めず、また多い場合には実際の製品としての実用性（洗浄能、経済性等）を考慮する場合、上記の範囲が望ましい。」
（第２頁右上欄第１６行〜同頁左下欄第８行）
　
I4　「本発明において驚くべきことは、従来よりポリエチレングリコールは、汚垢再付着防止剤、分散剤、増粘剤、可溶化剤あるいは粒状又は粉末洗剤の固結防止剤等の目的で使用され、かつそれ自身が無刺激であることは知られているが、アニオン活性剤を必須成分とする洗剤中に本発明の如き通常特別の処理を施こすことなく経済的に使用されている分子量２００〜６，０００のものが水と特定量の範囲で併用されることにより、積極的な皮膚刺激抑制効果が発揮されるとの知見はなかったことである。」
（第２頁左下欄第９行〜第１８行）
　
I5　「上記の如くして得られた本発明に係る液体洗剤は従来の如く特別な添加剤を配合することのない安全性の高いものであり、近年問題視されている皮膚障害等を解消すると共に、洗剤としての適度の泡立ちと洗浄力を備え、しかもポリエチレングリコール自体が有する保湿性の加味された実用性の頗る高いものである。」
（第３頁左下欄下から２行目〜同頁右下欄第５行）
　
I6　「次に本発明液体洗剤の実施例を示す。配合割合は重量パーセントである。
実施例１　台所用液体洗剤
　ヤシアルコールエーテルサルフェート　２０
　エタノール　　　　　　　　　　　　　１０
　ポリエチレングリコール２００　　　　６０
　水　　　　　　　　　　　　　加えて１００
　
実施例２　住居用液体洗剤
・・・
実施例３　木綿用液体洗剤
・・・
実施例４　工業用液体洗剤
・・・」
（第３頁右下欄第６行〜第４頁左上欄最終行）
　
　
第５　当審の判断
１　引用発明
（１）刊行物１に記載された発明
　刊行物１には、「アニオン性界面活性剤及び両性界面活性剤」と「水」を含む「皮膚洗浄料」がさらに「ポリエチレングリコール」を含有する点（摘示A1）が示される。
　そしてその「ポリエチレングリコール」は、「化粧料で用いられる保湿剤」の一種であり、「本来の保湿効果の他」に、「調整の容易さ」及び「皮膚洗浄料の『のび』を向上させ、使用感が向上する」ものとして使用される点（摘示A5、A7）が示される。
　してみると、刊行物１には、　
「アニオン性界面活性剤、両性界面活性剤、水を含有してなる皮膚洗浄料において、保湿効果、調整の容易さ及び皮膚洗浄料の『のび』を向上させ、使用感を一層向上させるものとして、化粧料で用いられる保湿剤であるポリエチレングリコールを使用する方法」
　に係る発明（以下、「引用発明１」という。）が記載されている。
　
（２）刊行物２に記載された発明
　刊行物２には　その請求項３に示される「起泡性洗浄剤」（摘記B1）における「一価アルコール」及び「多価アルコール」のうち、その「多価アルコール」の具体例には「ポリエチレングリコール４００」、「ポリエチレングリコール６００」が示されており（摘示B4）、またその「一価アルコール」及び「多価アルコール」はいずれも、「粘度調整剤として配合」されるものであることが示される（摘記B4）。
　してみると、刊行物２には
「界面活性剤５〜３０重量％、一価アルコール１〜７重量％および多価アルコール３〜２０重量％を配合してなる起泡性洗浄剤であって、
　前記界面活性剤として、炭素数１１〜１８のアルキル基を有する高級脂肪酸のアルカノールアミン塩またはアルカリ金属塩および、式１：
［式中、Ｒ１は炭素数１１〜１８のアルキル基、Ｍ１はアルカノールアミン残基またはアルカリ金属、Ｍ２は水素原子、アルカノールアミン残基またはアルカリ金属、ｎは１〜１０の整数を意味する］で表されるポリオキシエチレンアルキルリン酸エステル塩、さらに式２：
［式中、Ｒ２は、炭素数１０〜１８のアルキル基を意味する］で表されるベタインを配合した前記起泡性洗浄剤において、
　前記多価アルコールとしてポリエチレングリコール４００またはポリエチレングリコール６００を粘度調整剤として配合する方法」
　に係る発明（以下、「引用発明２」という。）が記載されている。
　
２　本願発明１について（当審拒絶理由の１について）
（１）対比
　本願発明１はいわゆる「使用」クレームであり、これは使用方法を意味する用語として扱うのが相当である（なお、特許庁審査基準第Ｉ部第１章「２．２．２．３」の（３）においても、そのような扱いが示される）から、本願発明１は、「重量比４：１〜０．１：１の範囲の合成アニオン界面活性剤と両性界面活性剤からなる水性液体洗剤組成物において、２００から１００，０００以下の分子量を有するポリエチレングリコール１０重量％〜４０重量％を泡増加剤として使用する方法」に係る発明であると認める。
　上記認定した本願発明１と引用発明１とを対比する。
　引用発明１の「アニオン性界面活性剤」として、引用発明１を開示する刊行物１の実施例には、「ラウロイルサルコシンナトリウム」及び「Ｎ−ラウロイルグルタミン酸ジナトリウム」等が例示されている（摘記A6）。これらは通常、化学的に合成されたアニオン性の界面活性剤である。してみると、引用発明１の「アニオン性界面活性剤」は、本願発明１の「合成アニオン界面活性剤」に相当する。
　刊行物１には「アニオン性界面活性剤及び両性界面活性剤の混合水溶液に油を分散させ」たものであることが示されることから（摘示A3）、引用発明１の「水」を含有する「皮膚洗浄料」は水性で液体の洗浄料といえる。してみると、引用発明１の「皮膚洗浄料」は、本願発明１の「水性液体洗剤組成物」に相当する。
　そうすると、両者は、
「合成アニオン界面活性剤と両性界面活性剤からなる水性液体洗剤組成物において、ポリエチレングリコールを使用する方法」である点において一致し、以下の点で相違している。
　
（相違点１）合成アニオン界面活性剤と両性界面活性剤の含有比が、本願発明１は「重量比４：１〜０．１：１の範囲」を規定するのに対し、引用発明１はその含有比について規定されていない点
（相違点２）ポリエチレングリコールに関して、本願発明１は「２００〜１００，０００以下の分子量」で「１０重量％〜４０重量％」を、「泡増加剤」として使用する方法を規定するのに対し、引用発明１は、その分子量の範囲及び含有させる重量の範囲について規定がなく、また「保湿効果、調整の容易さ及び皮膚洗浄料の『のび』を更に向上させ、使用感を一層向上させることを目的」として使用する方法を規定する点
　
（２）判断
ア　相違点１について
　引用発明１を開示する刊行物１には、「一般に、イオン性界面活性剤には皮膚刺激性がみられる場合があるが、両性界面活性剤を配合しているため刺激性を抑えることができる。特に、両性界面活性剤に対するアニオン性界面活性剤の配合比が１以下のものが好ましい。この範囲で、刺激性は一層抑えられると共に泡立ちも向上する」（摘示A4）ことが示されており、刊行物１の実施例を参照しても両性界面活性剤に対するアニオン性界面活性剤の配合比はこの好ましいとされる範囲を満足したものが示される（摘示A6）。
　すなわち、刊行物１には、皮膚刺激性抑制と泡立ちのバランスから、本願発明１の規定と重複する、アニオン性界面活性剤及び両性界面活性剤の含有量比が、１以下：１の範囲が好ましいことが既に示されていることから、重量比で１以下：１の範囲については、実質的な相違点であるとはいえない。
　また、刊行物１には、配合比を１以下に限定することによってのみ刺激抑制及び泡立ちの両立が可能であるとする記述はなされていないことから、その配合比は当業者が適宜定め得るものといえ、好ましいとして示された範囲外である１を超える範囲すなわち１より大：１の範囲とすることは当業者が適宜規定し得る事項であるといえる。
　したがって、引用発明１において、１以下：１である配合比とすることはアニオン性界面活性剤と両性界面活性剤の配合比として刊行物１に既に示されていることから本願発明１と実質的に相違はなく、また、１より大：１を含んだ形で、その配合比の上限下限を定めることは、当業者であれば適宜になし得たものである。
　
イ　相違点２について
（ア）ポリエチレングリコールの泡増加性について
　刊行物３には「例えば手の洗浄に適当である洗浄用組成物」（摘示C1）において、「発泡」機能を有する「表面活性剤」（摘示C2）に加えて、「使用時に形成されたフォームまたは泡の品質、例えばその安定性および”感触”を向上させる添加剤（”発泡促進剤”）を含有すること」が「有利」であり、その添加剤として「低分子量（例えば４００）のポリエチレングリコール（例えばPEG400)」が例示される（摘示C3）。
　刊行物４には「界面活性剤」及び「アルコールエーテル類」を含有させた「洗浄剤組成物」において（摘示D1）、該「界面活性剤」は「泡立ち作用がある」ものであること（摘示D3）、該「アルコールエーテル類」は「分子量が大きくなればなる程」「泡」を「細かく安定」にするものであること（摘示D2）、そのアルコールエーテル類として「ポリエチレングリコール分子量６０００」（摘示D2）が例示されるとともに、「ポリエチレングリコール分子量２００」「ポリエチレングリコール分子量２０００」「ポリエチレングリコール分子量６０００」「ポリエチレングリコール分子量１００００」を含有した洗浄剤組成物の実施例で「泡重量」「泡半減期」について評価されている（摘示D4）。
　刊行物５には、「界面活性剤」を含有する「粉末シャボン玉組成物」（摘示E1）において、さらに「泡の安定剤として、ポリエチレングリコール（＃２００〜６００）・・・などの湿潤剤を併用することができる」ことが示される（摘示E2）。
　このように、ポリエチレングリコールが、界面活性剤による泡に対して「発泡促進剤」「泡安定剤」として機能するものであることは、刊行物３〜５に示されるように界面活性剤による泡を利用する技術の分野において本件出願優先日前に広く知られた事項である。そして、該「発泡促進」又は「泡安定」能は、「湿潤」能のあるポリエチレングリコールが兼ね備えた機能として、例えば刊行物５に示されるように、当業者に認識されているものといえる。
　引用発明１の皮膚洗浄料は界面活性剤による泡の「泡立ちを改善」すること、「泡立ちの向上」を目的の一つとしたものであるから（摘示A2、A4）、引用発明１の保湿剤であるポリエチレングリコールの使用方法において、刊行物３〜５に記載されるように本件出願優先日前に「湿潤」能を有するポリエチレングリコールが有することの知られた「発泡促進」能、「泡安定」能に着目し、引用発明１の皮膚洗浄料において「発泡促進剤」、「泡安定剤」としてポリエチレングリコールを使用する方法を規定することは、当業者であれば容易になし得たものである。
　また、発泡による泡量は、起泡力（泡の生成しやすさ）と安定度（泡の消えにくさ）の両面で制御されるものであるといえるところ（必要あれば下記※参照）、上記「発泡促進剤」又は「泡安定剤」とは、発泡を促進する剤又は生成した泡が安定に存在する助けとなり泡が消えにくくなるようにする剤といえるから、泡の量の向上に寄与するものといえる。すなわち「発泡促進剤」又は「泡安定剤」は「泡量向上剤」であるといえるから、「泡増加剤」としてポリエチレングリコールを使用する方法と表現することに格別の困難性はない。
　
※　発泡に関して、例えば化学大辞典（縮刷版　化学大辞典　８、1989年8月15日　縮刷版第32刷　共立出版株式会社発行、第６４３頁右欄）には、以下の記載がある（下線部は当審による）。
「ほうまつ　泡沫［英bubble，foam，froth，独Blase，Schaum］　液体や固体の内部または表面において、それらに取り囲まれた気体のかたまりを気ホウとよび、気ホウが多数集まって互いに液体または固体の薄い膜で隔てられた状態のものをホウマツという。アワは気ホウおよびホウマツの総称である。ホウマツはその状態から分離するとビール、サイダー、セッケン、海水などのアワのような液体ホウマツ、トロロ、パン、スポンジ、ホームラバー、ハンペン、カステラのような弾性ホウマツ、ビスケット、カルメラ、センベイ、ホウマツガラス、ホウマツコンクリート、軽石、木炭のような固体ホウマツなどがある。ホウマツを形成する相の種類より分類すると水溶液のホウマツは気、液２相より成るから二相ホウマツ、浮選やマッ茶のホウマツは気、液、固３相より成るから三相ホウマツ、更に多相より成る多相ホウマツもある。また更に安定度よりするとビール、セッケンのアワのような安定ホウマツ、サイダー、アルコール水溶液のような不安定ホウマツに分類することもできる。発ポウの条件についての研究は昔から非常に多い。一般に、単一の液体（純粋な液体）は発ポウしない。発ポウする液は多く溶液である。発ポウしやすい液体はしばしば表面張力が低いと考えられがちであるが、アルコール水溶液の発ポウからみても明らかなように、純粋なアルコールは表面張力が非常に低いが発ポウしない。このように発ポウは低表面張力だけでは決まらない。
発ポウの因子には起ホウ力と安定度が考えられていて、前者には表面張力、後者には膜の安定度すなわち機械的強度や液の薄膜中の流下速度が関与し、両者が協力すると発ポウが増す。
　
（イ）ポリエチレングリコールの分子量及び含有量について
　刊行物１には、ポリエチレングリコールの分子量及び含有量について、一般的な記述はなされていないが、例えば実施例７には、重合度４００のものを１０重量％含ませた皮膚洗浄料が示されており（摘示A6）、これは本願発明１の分子量及び含有量を満足する。また、刊行物３〜５には、発泡促進剤又は泡安定剤として示されるポリエチレングリコールの分子量及び含有量は、本願発明１で規定されるものと重複している（摘記C3、摘記D4、摘記E2）。
　すなわち、引用発明１のポリエチレングリコールの使用における分子量及び含有量は刊行物１に既に示されており、また発泡促進剤又は泡安定剤としての使用として既知の範囲といえるから、実質的な相違はない。また、刊行物１に既に示され、あるいは発泡促進剤又は泡安定剤としての使用として既知の範囲を含み、所望の性能が発揮される程度の分子量及び含有量を定めることに格別の困難性はない。
　
ウ　効果について
　本願発明１の効果は、本願明細書第７頁の「ポリエチレングリコール」の項に示されるように、「泡増加剤」すなわち泡増加の効果であり、当該効果については、上記イに既に示したように、刊行物１及び刊行物３〜５又は周知技術より予測可能な範囲のものであり、格別なものであるとはいえない。
　
（３）まとめ
　以上のとおりであるので、本願発明１は刊行物１及び刊行物３〜５に記載された発明及び／又は周知技術に基いて、その出願前にその発明の属する技術の分野における通常の知識を有する者が容易に発明をすることができたものであるから、特許法第２９条第２項の規定により特許を受けることができない。
　
３　本願発明１について（当審拒絶理由の２について）
（１）対比
　本願発明１はいわゆる「使用」クレームであり、上記２（１）に示したとおり、本願発明１は、「重量比４：１〜０．１：１の範囲の合成アニオン界面活性剤と両性界面活性剤からなる水性液体洗剤組成物において、２００から１００，０００以下の分子量を有するポリエチレングリコール１０重量％〜４０重量％を泡増加剤として使用する方法」に係る発明であるといえる。
　上記読み替えた本願発明１と引用発明２とを対比する。
　引用発明２の「炭素数１１〜１８のアルキル基を有する高級脂肪酸のアルカノールアミン塩またはアルカリ金属塩」及び「式１」で表される「ポリオキシエチレンアルキルリン酸エステル塩」がいずれも本願発明１の「合成アニオン界面活性剤」といえることは、当業者に明らかである。
　引用発明２の「式２」で表される「ベタイン」が本願発明１の「両性界面活性剤」といえることは、当業者に明らかである。
　引用発明２の洗浄剤は、刊行物２に「常法に従って、前記の各配合成分を所定量の精製水と攪拌・混合することにより調製される」ものであることが示されているから（摘示B5）、本願発明１の「水性液体洗剤組成物」に相当する。
　引用発明２の「ポリエチレングリコール４００」、「ポリエチレングリコール６００」は、いずれも本願発明１の「ポリエチレングリコール」に含まれる。
　そうすると、両者は、
「合成アニオン界面活性剤と両性界面活性剤からなる水性液体洗剤組成物において、ポリエチレングリコールを使用する方法」の点において一致し、以下の点で相違している。
　
（相違点３）合成アニオン界面活性剤と両性界面活性剤との含有比が、本願発明１においては「重量比４：１〜０．１：１の範囲」を規定するのに対し、引用発明２においては含有比について規定されていない点
（相違点４）ポリエチレングリコールが、本願発明１は「２００〜１００，０００以下の分子量」のもの「１０重量％〜４０重量％」を「泡増加剤」として使用する方法を規定するのに対し、引用発明２は「ポリエチレングリコール４００」及び「ポリエチレングリコール６００」を、「３〜２０重量％」、「粘度調整剤」として使用する方法である点
　
（２）判断
ア　相違点３について
　刊行物２には、「さらに好ましくは、界面活性剤として、炭素数１１〜１８のアルキル基を有する高級脂肪酸のアルカノールアミン塩またはアルカリ金属塩５〜１５重量％および、式１」「で表わされるポリオキシエチレンアルキルリン酸エステル塩３〜２０重量％を組み合わせて用いる」こととし、「さらに、この界面活性剤の組み合わせに加えて、式２」「で表わされる」「両イオン性界面活性剤」である「ベタイン」を、「１〜５重量％の範囲内で配合することが好ましい」ことが示される（摘示B3）。この配合比を参照すると、最少量のアニオン性界面活性剤：最大量の両性界面活性剤は重量比で８：５すなわち１．６：１であり、またこの三者を組み合わせた実施例１９、２１、２２には、計１６％のアニオン性界面活性剤に対し、４重量％、５重量％の両性界面活性剤を含有させた例が示されているので（摘示B6）、少なくとも、１以上：１の範囲については、刊行物２には本願発明１と重複する範囲が既に規定されており、実質的な相違点であるとはいえない。
　また、１以下の範囲すなわち１以下：１とすることについて、刊行物２には、上記「好ましい」含有比範囲としては示されていないが、「前記の配合量の範囲内で界面活性剤の使用量を調整」し、洗浄剤として求める性能に応じて、該「好ましい」範囲に限られることなく、２種以上の界面活性剤の含有比の範囲を定めることは、当業者の通常の創作能力の発揮の範囲内の事項である。また、アニオン性界面活性剤の有することが周知である皮膚刺激性の抑制のためにアニオン性界面活性剤と両性界面活性剤との混合比を１以下：１とすることは、例えば刊行物１（摘記A4）に示されるように、従前より適宜なされてきた事項でもある。
　したがって、引用発明２において、１以上：１とする点についてはアニオン性界面活性剤と両性界面活性剤の配合比として刊行物２に既に示されていることから本願発明１と実質的に相違はなく、また、さらに１以下：１を含んだ形で、その配合比の上限下限を定めることは、当業者であれば適宜になし得たものである。
　
イ　相違点４について
（ア）ポリエチレングリコールの泡増加性について
　刊行物２には、その「界面活性剤」は「使用量を調整」して所望の「起泡性、粘度とする」ことが示される（摘示B3）ことから、「界面活性剤」が「泡生成剤」であるといえる。そして刊行物２には「粘度調整剤」について、添加量が所定範囲を下回ると「洗浄剤の粘度が上昇し、発泡が阻害される」ものであり、添加量が所定範囲を上回ると「洗浄剤の粘度が低下し、起泡性も低下する」ものとして記されている（摘示B4）ことから、その「粘度調整剤」は「発泡性」及び「起泡性」に影響を与える剤であるといえるが、「泡増加剤」であるとは明示されていない。
　ここで、例えば刊行物３乃至５には上記２（２）イ（ア）に指摘したような事項が示されていることから、ポリエチレングリコールは界面活性剤による泡に対して「発泡促進剤」又は「泡安定剤」として寄与するものであることがいえ、また、該事項は、刊行物３〜５に例示されるような、界面活性剤による泡を利用する技術の分野において本件出願優先日前に広く知られた事項である。そして、該「泡安定」能は、「増粘」能すなわち「粘度調整」能のあるポリエチレングリコールが兼ね備えた機能として、例えば刊行物５に例示されるように、認識されているといえる。
　引用発明２の洗浄剤は「起泡性洗浄剤」であり、界面活性剤による泡として「きめが細かい泡」であるとともに「泡の保持性」のよいもの（摘示B6）を得ることをその目的の一つとしたものであるから、「粘度調整剤」として配合される引用発明２のポリエチレングリコールを使用する方法において、刊行物３〜５に記載されるような「発泡促進」能、「泡安定」能に着目し、引用発明２の起泡性洗浄剤において「発泡促進剤」、「泡安定剤」としてポリエチレングリコールを使用する方法を規定することは、当業者であれば容易になし得たものである。
　そして、「発泡促進」能又は「泡安定」能と「泡増加」能との関連については上記２（２）イ（ア）に示したとおりであって、「発泡促進剤」又は「泡安定剤」は「泡量向上剤」であるといえるから、「泡増加剤」としてポリエチレングリコールを使用する方法と表現することに格別の困難性はない。
　
（イ）ポリエチレングリコールの分子量及び含有量について
　引用発明２の、ポリエチレングリコール４００、ポリエチレングリコール６００は、その数値が（平均）分子量と重合度のいずれを示すものであるか、刊行物２には明示されていないため不明であるが、いずれであったとしても、両物質の分子量は、本願発明１に規定されたポリエチレングリコールの分子量の範囲内にある。
　引用発明２には、多価アルコールの含有量として、本願発明１の範囲と部分的に重複する範囲である、３〜２０重量％で含ませることが規定されている。また、引用発明２の具体例である刊行物２の実施例１８〜２２において多価アルコールは１０重量％含有されており（摘示B6）、これは本願発明１の含有量を満足する。また、刊行物３〜５に示される、発泡促進剤、泡安定剤として含有されるポリエチレングリコールの分子量及び含有量は、本願発明１で規定されるものと重複しているものが示されている（摘記C3、摘記D4、摘記E2）。
　すなわち、本願発明１で規定するポリエチレングリコールの分子量及び含有量は、引用発明２及び刊行物２に既に示されており、また発泡促進剤、泡安定剤として使用される方法においても既知の範囲であり、実質的な相違はない。また、刊行物２に既に示され、あるいは発泡促進剤又は泡安定剤として使用する方法において既知の範囲を含み、所望の性能が発揮される程度の分子量及び含有量を定めることに格別の困難性はない。
　
ウ　効果について
　本願発明１の効果は、本願明細書第７頁の「ポリエチレングリコール」の項に示されるように、「泡増加剤」すなわち泡増加の効果であり、当該効果については、上記イに既に示したように、刊行物２及び刊行物１、３〜５又は周知技術より予測可能な範囲のものであり、格別なものであるとはいえない。
　
（３）まとめ
　以上のとおりであるので、本願発明１は刊行物２及び刊行物１、３〜５に記載された発明及び／又は周知技術に基いて、その出願前にその発明の属する技術の分野における通常の知識を有する者が容易に発明をすることができたものであるから、特許法第２９条第２項の規定により特許を受けることができない。
　
４　本願発明２について（当審拒絶理由の３について）
（１）対比
　本願発明２はいわゆる「使用」クレームであり、上記２（１）に示したのと同様の理由で、本願発明２は、「重量比４：１〜０．１：１の範囲の合成アニオン界面活性剤と両性界面活性剤からなる水性液体洗剤組成物において、２００から１００，０００以下の分子量を有するポリエチレングリコール１０重量％〜４０重量％をマイルド性向上剤として使用する方法」ということができる。
　上記読み替えた本願発明２は、本願発明１における「泡増加剤」との規定が、「マイルド性向上剤」と規定される以外は、本願発明１と同じ構成を備えたものである。よって本願発明２と引用発明１とを対比すると、この点以外は上記２（１）で対比したとおりであり、両者は、
「合成アニオン界面活性剤と両性界面活性剤からなる水性液体洗剤組成物において、ポリエチレングリコールを使用する方法」である点において一致し、以下の点で相違している。
　
（相違点１’）合成アニオン界面活性剤と両性界面活性剤の含有比が、本願発明２は「重量比４：１〜０．１：１の範囲」を規定するのに対し、引用発明１はその含有比について規定されていない点
（相違点５）ポリエチレングリコールに関して、本願発明２は「２００〜１００，０００以下の分子量」で「１０重量％〜４０重量％」を、「マイルド性向上剤」として使用する方法を規定するのに対し、引用発明１は、その分子量の範囲及び含有させる重量の範囲について規定がなく、また「保湿効果、調整の容易さ及び皮膚洗浄料の『のび』を更に向上させ、使用感を一層向上させることを目的」として使用する方法を規定する点
　　
（２）判断
ア　相違点１’について
　相違点１’は、上記２（１）の相違点１に同じであり、その検討内容は上記２（２）アに示したとおりである。
　したがって、引用発明１において、アニオン性界面活性剤と両性界面活性剤の配合比として、１以下：１とする点については刊行物１に示されていることから実質的に相違はなく、また、１より大：１を含んだ形で、その配合比の上限下限を定めることは、当業者であれば適宜になし得たものである。
　
イ　相違点５について
（ア）ポリエチレングリコールのマイルド性向上性について
　刊行物８及び刊行物９には、「アニオン性活性剤」を含む（摘示H1、I1）、具体的には「洗顔クリーム」や「シャンプー」（摘示H5、H6）等が含まれる「化粧料」（摘示H1）あるいは「液体洗剤」（摘示I1）における、「皮膚刺激」を、「ポリエチレングリコール」を配合することにより「抑制」する技術（摘示H1、I1）が示される。刊行物８にはさらに「従来ポリエチレングリコールが」「保湿剤」等として使用することは知られていたこと（摘示H4）、刊行物９にはさらに「従来よりポリエチレングリコールは」、「増粘剤」等の目的で使用することは知られていたこと（摘示I4）がそれぞれ示されたうえで、そのような既知の「ポリエチレングリコール」は、さらに、いずれも「アニオン活性剤を必須成分」とする「化粧料」又は「液体洗剤」（摘示H1、I1）において、「皮膚刺激抑制効果」（摘示H3、I3）を有するものとして使用可能であることが示される。
　刊行物１には「一般にイオン性界面活性剤には皮膚刺激性がみられる場合がある」ことが指摘されており、これに対しては「両性界面活性剤を配合して」「刺激性を抑える」ことが示されるが（摘示A4）、同様の目的のために複数の成分を添加することは適宜行われていることであるから、刊行物８及び刊行物９に示されるような、「保湿」効果を有するものとして洗剤に添加されることが既知のポリエチレングリコールが更に有する「皮膚刺激抑制」能に着目し、引用発明１のポリエチレングリコールについて、「皮膚刺激抑制剤」すなわち「マイルド性向上剤」として使用する方法を規定することは、当業者であれば容易になし得たものである。
　
（イ）ポリエチレングリコールの分子量及び含有量について
　刊行物１には、ポリエチレングリコールの分子量及び含有量について、一般的な記述はなされていないが、例えば実施例７には、重合度４００のものを１０重量％含ませた皮膚洗浄料が示されており（摘示A6）、これは本願発明２の分子量及び含有量を満足する。また、刊行物８〜９に示される、皮膚刺激抑制剤として含有されるポリエチレングリコールの分子量及び含有量は、本願発明２で規定されるものと重複しているものが示されている（摘記H1、H2、H6、I1、I2、I6）。
　このように、本願発明２のポリエチレングリコールの使用における分子量及び含有量は、刊行物１に既に示されており、また皮膚刺激抑制剤としての使用としても刊行物８及び９に示されるものと同程度のものを示したに過ぎないから、当業者であれば本願発明２の程度の分子量及び含有量を定めることに格別の困難性はない。
　
ウ　効果について
　本願発明２の効果は、本願明細書第７頁の「ポリエチレングリコール」の項に示されるように、「マイルド性」の効果であり、当該効果については、上記イ（ア）に既に示したように、刊行物１及び刊行物８〜９より予測可能な範囲のものであり、格別なものであるとはいえない。
　
（３）まとめ
　以上のとおりであるので、本願発明２は刊行物１及び刊行物８〜９に記載された発明及び技術常識に基いて、その出願前にその発明の属する技術の分野における通常の知識を有する者が容易に発明をすることができたものであるから、特許法第２９条第２項の規定により特許を受けることができない。
　
５　本願発明２について（当審拒絶理由の４について）
（１）対比
　本願発明２はいわゆる「使用」クレームであり、上記４（１）に示したとおり、本願発明２は、「重量比４：１〜０．１：１の範囲の合成アニオン界面活性剤と両性界面活性剤からなる水性液体洗剤組成物において、２００から１００，０００以下の分子量を有するポリエチレングリコール１０重量％〜４０重量％をマイルド性向上剤として使用する方法」に係る発明ということができる。
　上記読み替えた本願発明２は、本願発明１における「泡増加剤」との規定が、「マイルド性向上剤」と規定される以外は、本願発明１と同じ構成要件を備えたものである。よって本願発明２と引用発明２とを対比すると、この点以外は上記３（１）で対比したとおりであり、両者は、
「合成アニオン界面活性剤と両性界面活性剤からなる水性液体洗剤組成物においてポリエチレングリコールを使用する方法」である点において一致し、以下の点で相違している。
　
（相違点３’）合成アニオン界面活性剤と両性界面活性剤の含有比が、本願発明２は「重量比４：１〜０．１：１の範囲」を規定するのに対し、引用発明２はそのような含有比は規定されていない点
（相違点６）ポリエチレングリコールが、本願発明２は「２００〜１００，０００以下の分子量」で「１０重量％〜４０重量％」を「マイルド性向上剤」として使用する方法を規定するのに対し、引用発明２は「ポリエチレングリコール４００」及び「ポリエチレングリコール６００」を、「３〜２０重量％」、「粘度調整剤」として使用する方法を規定する点
　
（２）判断
ア　相違点３’について
　相違点３’は、上記３（１）の相違点３に同じであり、その検討内容は上記３（２）アに示したとおりである。
　加えて、刊行物１には、アニオン性界面活性剤の皮膚刺激性の抑制の観点から両性界面活性剤を添加すること及びその配合比は好ましくは１以下：１とすることが示されている（摘記A4）。
　したがって、引用発明２において、アニオン性界面活性剤と両性界面活性剤の配合比として、１以上：１とする点については刊行物２に示されていることから実質的に相違はなく、また、さらに１以下：１を含んだ形で、その配合比の上限下限を定めることは、当業者であれば適宜になし得たものである。
　
イ　相違点６について
（ア）ポリエチレングリコールのマイルド性向上能について
　引用発明２のポリエチレングリコールは「粘度調整剤」のために使用されることが規定されるが、「マイルド性向上剤」として使用されることは規定されていない。
　しかしながら、引用発明２は、合成アニオン系界面活性剤を含む水性液体洗剤組成物であり、洗浄剤に含まれる合成アニオン系界面活性剤が皮膚刺激性を有する点は上記４（２）イにて指摘したように刊行物１、刊行物８及び９に示されるように本件出願優先日前に既知の事項であり、これに対して、刊行物８及び９に示されるように、「増粘剤」すなわち「粘度調整剤」として知られた「ポリエチレングリコール」がさらに有する「皮膚刺激抑制効果」を期待し、これを「マイルド性向上剤」として規定することは、当業者であれば容易になし得たものである。
　
（イ）ポリエチレングリコールの分子量及び含有量について
　引用発明２の、ポリエチレングリコール４００、６００は、本願発明２の分子量範囲を満足する。引用発明２には、多価アルコールの含有量として、本願発明２の範囲と部分的に重複する範囲である、３〜２０重量％で含ませることが規定されている。また、引用発明２を開示する刊行物２の実施例において多価アルコールは１０〜１５重量％含有されており（摘示B6）、これは本願発明２の含有量を満足する。また、刊行物８〜９に示される、皮膚刺激抑制剤として含有されるポリエチレングリコールの分子量及び含有量は、本願発明２で規定されるものと重複しているものが示されている（摘記H1、H2、H6、I1、I2、I6）。
　このように、本願発明２のポリエチレングリコールの使用における分子量及び含有量は、刊行物２に既に示されており、また皮膚刺激抑制剤として使用する方法においても刊行物８及び９に示されるものと同程度のものを示したに過ぎないから、当業者であれば本願発明２の程度の分子量及び含有量を定めることに格別の困難性はない。
　
ウ　効果について
　本願発明２の効果は、本願明細書第７頁の「ポリエチレングリコール」の項に示されるように、「マイルド性」の効果であり、当該効果については、上記イ（ア）に既に示したように、刊行物２及び刊行物１、８〜９より予測可能な範囲のものであり、格別なものであるとはいえない。
　
（３）まとめ
　よって、本願発明２は刊行物２及び刊行物１、８〜９に記載された発明または周知技術に基いて、その出願前にその発明の属する技術の分野における通常の知識を有する者が容易に発明をすることができたものであるから、特許法第２９条第２項の規定により特許を受けることができない。
　
６　まとめ
　本願発明１は刊行物１に記載された発明及び刊行物３〜５に記載された発明及び周知技術に基いて当業者が容易に発明をすることができたものであり、また、刊行物２に記載された発明及び刊行物１、３〜５に記載された発明及び技術常識に基いて当業者が容易に発明をすることができたものである。
　また、本願発明２は刊行物１に記載された発明及び刊行物８〜９に記載された発明に基いて当業者が容易に発明をすることができたものであり、また、刊行物２に記載された発明及び刊行物１、８〜９に記載された発明及び技術常識に基いて当業者が容易に発明をすることができたものである。
　よって、本願発明１及び２は特許法第２９条第２号の規定によりいずれも特許を受けることができない。
　
第６　むすび
　以上のとおり、本願発明１〜２は特許法第２９条第２項の規定によりいずれも特許を受けることができないものであるから、その余のことを検討するまでもなく、本願は、拒絶すべきものである。
　
　よって、結論のとおり審決する。